(57)【要約】【課題】  スプリンクラー設備と一般人用消火栓設備の送水管あるいはポンプを共有し、かつ各設備の必要とする適正水圧を確保できる高層住宅用スプリンクラー装置を提供する。【解決手段】  給水装置４から所定圧力で給水される主送水管８に、各階層の各住戸５１に垂直方向に貫通して設けられた配管スペース５２の数に分岐した複数の分岐送水管９を接続し、所要階層の各住戸に設置されたスプリンクラーヘッド１を各分岐送水管９に、前記所要階層に設置された一般人用消火栓設備７を分岐送水管９に接続すると共に、前記スプリンクラーヘッド１ならびに一般人用消火栓設備７と分岐送水管９との間に、一次側の変動水圧を二次側で所定水圧に調整する圧力調整弁１０、７０を配設する。【選択図】  図１
2006141909.tif 000002
【特許請求の範囲】
【請求項１】
給水装置から所定圧力で給水される主送水管に、高層住宅の各階層の各住戸に垂直方向に貫通して設けられた配管スペースの数に分岐した複数の分岐送水管を接続し、所要階層の各住戸に設置されたスプリンクラーヘッドを各分岐送水管に、前記所要階層に設置された一般人用消火栓設備を分岐送水管にそれぞれ接続すると共に、前記スプリンクラーヘッドならびに一般人用消火栓設備と分岐送水管との間に、一次側の変動水圧を二次側で所定水圧に調整する圧力調整弁を配設したことを特徴とする高層住宅用スプリンクラー装置。
【請求項２】
給水装置から所定圧力で給水される主送水管に、高層住宅の各階層の各住戸に垂直方向に貫通して設けられた配管スペースの数に分岐した複数の分岐送水管を接続し、所要階層の各住戸に設置されたスプリンクラーヘッドを各分岐送水管に、前記所要階層に設置された消防隊用消火栓設備を分岐送水管にそれぞれ接続すると共に、前記スプリンクラーヘッドと分岐送水管との間に、一次側の変動水圧を二次側で所定水圧に調整する圧力調整弁を配設したことを特徴とする高層住宅用スプリンクラー装置。
【請求項３】
給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された一般人用消火栓設備を主送水管にそれぞれ接続すると共に、前記分岐送水管における主送水管に最も近いスプリンクラーヘッドと主送水管との間、ならびに一般人用消火栓設備と主送水管との間に、一次側の変動水圧を二次側で所定水圧に調整する圧力調整弁を配設したことを特徴とする高層住宅用スプリンクラー装置。
【請求項４】
給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された一般人用消火栓設備を主送水管にそれぞれ接続すると共に、前記スプリンクラーヘッドと分岐送水管との間、ならびに一般人用消火栓設備と主送水管との間に、一次側の変動水圧を二次側で所定水圧に調整する圧力調整弁を配設したことを特徴とする高層住宅用スプリンクラー装置。
【請求項５】
給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された消防隊用消火栓設備を主送水管にそれぞれ接続すると共に、前記分岐送水管における主送水管に最も近いスプリンクラーヘッドと主送水管との間に、一次側の変動水圧を二次側で所定水圧に調整する圧力調整弁を配設したことを特徴とする高層住宅用スプリンクラー装置。
【請求項６】
給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された消防隊用消火栓設備を主送水管にそれぞれ接続すると共に、前記スプリンクラーヘッドと分岐送水管との間に、一次側の変動水圧を二次側で所定水圧に調整する圧力調整弁を配設したことを特徴とする高層住宅用スプリンクラー装置。
【請求項７】
スプリンクラーヘッドと分岐送水管との間に、アラーム弁が一体に接続された圧力調整弁を配設したことを特徴とする請求項１、２、４または６に記載の高層住宅用スプリンクラー装置。
【発明の詳細な説明】
【技術分野】
【０００１】
本発明は、高層住宅におけるスプリンクラー設備、消防隊用消火栓設備、一般人用消火栓設備等の消火装置の送水配管、ポンプ等の共用化を図った高層住宅用スプリンクラー装置に関するものである。
【背景技術】
【０００２】
高層住宅においては、消火装置として、スプリンクラー設備の他、一般人用消火栓設備
、消防隊用消火栓設備等があり、これらの設備は、設置が必要な階層、住戸あるいは必要とする放水圧力が法令等の規制により異なっている（例えば、スプリンクラー設備：１１階以上、放水圧０．１〜１．０ＭＰａ、一般人用消火栓設備：各階、最高使用圧０．７ＭＰａ、消防隊用消火栓設備：３階以上、最高使用圧１．６ＭＰａ）ことから、一般に、それぞれの設備に個別の給水あるいは配管構造を採用することが多い。このようにした場合、当然、各消火設備毎に給水装置、送水管の費用がかかり、また、各設備の配管スペースを必要とし、トータルコストの上昇を招く問題がある。
【０００３】
これを解決するため、消防隊用消火栓設備と一般人用消火栓設備の配管を共用し、スペース、コストの低減を図ったものがある（特許文献１参照）。
【特許文献１】特開２００３−１９９８４１号公報
【発明の開示】
【発明が解決しようとする課題】
【０００４】
しかしながら、上記従来技術は、自動調整弁を利用して消防隊用消火栓設備の放水口と一般人用消火栓設備の放水口を一対にして１個の筐体内に設置し、それぞれの放水口から所定範囲圧力の放水が行えるようにしたものにとどまるものである。
【０００５】
本発明は、スプリンクラー設備と消防隊用消火栓設備または一般人用消火栓設備との送水管あるいは送水管およびポンプを共有でき、かつ各設備の必要とする適正水圧を確保できる高層住宅用スプリンクラー装置を提供することを目的とする。
【課題を解決するための手段】
【０００６】
請求項１に記載の発明に係る高層住宅用スプリンクラー装置は、給水装置から所定圧力で給水される主送水管に、高層住宅の各階層の各住戸に垂直方向に貫通して設けられた配管スペースの数に分岐した複数の分岐送水管を接続し、所要階層の各住戸に設置されたスプリンクラーヘッドを各分岐送水管に、前記所要階層に設置された一般人用消火栓設備を分岐送水管にそれぞれ接続すると共に、前記スプリンクラーヘッドならびに一般人用消火栓設備と分岐送水管との間に、一次側の変動水圧を二次側で所定水圧に調整する圧力調整弁を配設したことを特徴とする。
【０００７】
また、請求項２に記載の発明に係る高層住宅用スプリンクラー装置は、給水装置から所定圧力で給水される主送水管に、高層住宅の各階層の各住戸に垂直方向に貫通して設けられた配管スペースの数に分岐した複数の分岐送水管を接続し、所要階層の各住戸に設置されたスプリンクラーヘッドを各分岐送水管に、前記所要階層に設置された消防隊用消火栓設備を分岐送水管にそれぞれ接続すると共に、前記スプリンクラーヘッドと分岐送水管との間に、一次側の変動水圧を二次側で所定水圧に調整する圧力調整弁を配設したことを特徴とする。
【０００８】
また、請求項３に記載の発明に係る高層住宅用スプリンクラー装置は、給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された一般人用消火栓設備を主送水管にそれぞれ接続すると共に、前記分岐送水管における主送水管に最も近いスプリンクラーヘッドと主送水管との間、ならびに一般人用消火栓設備と主送水管との間に、一次側の変動水圧を二次側で所定水圧に調整する圧力調整弁を配設したことを特徴とする。
【０００９】
また、請求項４に記載の発明に係る高層住宅用スプリンクラー装置は、給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された一般人用消火栓設備を主送水管にそれぞれ接続すると共に、前記スプリンクラーヘッドと分岐送水管との間、ならびに一般人用消火栓設備と主送水管との間に、一次側の変動水圧を二次側で所定水圧に調整する圧力調整弁を配設したことを特徴とする。
【００１０】
また、請求項５に記載の発明に係る高層住宅用スプリンクラー装置は、給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された消防隊用消火栓設備を主送水管にそれぞれ接続すると共に、前記分岐送水管における主送水管に最も近いスプリンクラーヘッドと主送水管との間に、一次側の変動水圧を二次側で所定水圧に調整する圧力調整弁を配設したことを特徴とする。
【００１１】
さらにまた、請求項６に記載の発明に係る高層住宅用スプリンクラー装置は、給水装置から所定圧力で高層住宅の各階層に垂直方向に貫通して給水される主送水管に、各所要階層において、各住戸を水平方向に貫通して配設された分岐送水管を接続し、所要階層の各住戸に設置されたスプリンクラーヘッドを分岐送水管に、前記所要階層に設置された消防隊用消火栓設備を主送水管にそれぞれ接続すると共に、前記スプリンクラーヘッドと分岐送水管との間に、一次側の変動水圧を二次側で所定水圧に調整する圧力調整弁を配設したことを特徴とする。
【００１２】
なお、最上階層付近の階層においてスプリンクラーヘッドまたは一般人用消火栓設備の減圧が必要でないように給水圧が設定されている場合があるが、この場合においては、請求項１〜６に記載の発明における、スプリンクラーヘッドまたは一般人用消火栓設備の減圧のために設けた圧力調整弁を省略することが可能となる。このような場合も、請求項１〜６記載の発明の趣旨から、これらの発明の範囲に属するものである。
【発明の効果】
【００１３】
請求項１に記載の発明によれば、高層住宅において、スプリンクラー設備と一般人用消火栓設備とを併せて設置する場合、各住戸に共通して必要なスペースを利用して分岐送水管を垂直に配設することができ、別途、高層住宅の側部等に主送水管等の配管スペースを設ける必要がなく、トータルスペースの削減が可能である。また、本発明の場合、スプリンクラー設備と一般人用消火栓設備とに使用する設備、すなわち、給水ポンプ、消火槽、これらとスプリンクラーヘッドおよび一般人用消火栓設備を結ぶ配管等を共用すると共に、共用することによる水圧の変動に対し、スプリンクラーヘッドならびに一般人用消火栓設備に対しての圧力調整弁を設置することにより、所定の放水圧を確保できるようにしており、共用による課題を解決しながら、配管、給水装置等のコスト低減と省スペースを図ることができる。
【００１４】
また、請求項２に記載の発明によれば、高層住宅において、スプリンクラー設備と消防隊用消火栓設備とを併せて設置する場合、各住戸に共通して必要なスペースを利用して分岐送水管を垂直に配設することができ、別途、高層住宅の側部等に主送水管等の配管スペースを設ける必要がなく、トータルスペースの削減が可能である。また、本発明の場合、スプリンクラー設備と消防隊用消火栓設備とに共通して使用する設備、すなわち、スプリンクラーヘッドおよび消防隊用消火栓設備と給水装置とを結ぶ配管等を共用すると共に、共用することによる水圧の変動に対し、スプリンクラーヘッドに対しての圧力調整弁を設置することにより、所定の放水圧を確保できるようにしており、共用による課題を解決しながら、配管、給水装置等のコスト低減と省スペースを図ることができる。
【００１５】
また、請求項３、４に記載の発明によれば、高層住宅において、スプリンクラー設備と一般人用消火栓設備とを併せて設置する本発明の場合、スプリンクラー設備と一般人用消火栓設備とに使用する設備、すなわち、給水ポンプ、消火槽、これらとスプリンクラーヘッドおよび一般人用消火栓設備を結ぶ配管等を共用すると共に、共用することによる水圧の変動に対し、スプリンクラーヘッドを接続した分岐送水管における主送水管に最も近いスプリンクラーヘッドと主送水管との間（あるいは、スプリンクラーヘッドと分岐送水管との間）、ならびに一般人用消火栓設備の直前に圧力調整弁を設置することにより、所定の放水圧を確保できるようにしており、共用による課題を解決しながら、配管、給水装置等のコスト低減と省スペースを図ることができる。
【００１６】
さらにまた、請求項５、６に記載の発明によれば、高層住宅において、スプリンクラー設備と消防隊用消火栓設備とを併せて設置する本発明の場合、スプリンクラー設備と消防隊用消火栓設備とに共通して使用する設備、すなわち、スプリンクラーヘッドおよび消防隊用消火栓設備と給水装置とを結ぶ配管等を共用すると共に、共用することによる水圧の変動に対し、スプリンクラーヘッドを接続した分岐送水管における主送水管に最も近いスプリンクラーヘッドと主送水管との間（あるいは、スプリンクラーヘッドと分岐送水管との間）に圧力調整弁を設置することにより、所定の放水圧を確保できるようにしており、共用による課題を解決しながら、配管、給水装置等のコスト低減と省スペースを図ることができる。
【発明を実施するための最良の形態】
【００１７】
（第１の実施形態）
図１は、高層住宅の１１階以上に設置が義務付けられているスプリンクラー設備ならびに全階層に設けられた一般人用消火栓設備に対する第１の実施形態における送水用配管構造を示すもので、ここでは、３０階建ての高層共同住宅５０とし、その１１階以上の各住戸５１にスプリンクラー設備ならびに１階から３０階の全階に一般人用消火栓設備を設けた場合を想定している。そして、スプリンクラー設備は、閉鎖型湿式スプリンクラーヘッド方式によるものとし、各住戸５１の天井に設けられたスプリンクラーヘッド１には、高架水槽２等の補助圧力源からの水が配管内に常時充圧された状態にあり、ヘッドの感熱部分が火災の熱により溶けて散水が開始されたことをアラーム弁３により流水検知し、給水装置４を構成する給水ポンプ５を起動して消火水槽６から送水し、警報と共に火災表示を行う。一般人用消火栓設備７の放水口７ａ（図２）は、全階の共通通路に設けられ、通常、筐体内に消火ホース７ｂ（図２）が収納され、火災時には、一般人が上記放水口７ａに接続された消火ホース７ｂを使用して消火活動ができるようになされている。そして、上記放水口７ａは、後述のように前記スプリンクラー設備の給水経路を共有してスプリンクラーヘッド１の給水装置４、すなわち、給水ポンプ５ならびに消火水槽６につながっている。
【００１８】
図１において、前記給水ポンプ５から各住戸５１に送水するための主送水管８は、１１階において主送水管8から水平方向に配設された分配送水管12を介して、複数の分岐送水管９に分岐され、各分岐送水管９は、高層共同住宅５０の高さ方向に積み重ね、配置された各階層の各住戸５１を高さ方向に貫いて設けられている配管スペース５２を高さ方向に貫通して３０階まで配管されている。前記配管スペース５２は、各住戸５１の給水、排水、ガス、電気等の管路を集中的に配管する空間として設けられ、各住戸５１では水道、ガス、電気の開閉及び積算メータ等が設置されている。この配管スペース５２は、共同住宅では必須の空間で、多少の屈曲がある場合でも高さ方向に各階層を貫いて設けられているので、分岐送水管９を配管するために別途の空間を確保する必要はない。
【００１９】
上記配管構造により各階層における各住戸５１毎に分岐送水管９が配管されるようになるので、各住戸５１においては、複数場所の天井に設けられたスプリンクラーヘッド１と分岐送水管９もしくは分配送水管１２との間の接続は、各住戸５１毎に容易に実施することができる。分岐送水管９もしくは分配送水管１２からスプリンクラーヘッド１への接続は、アラーム弁３を介してなされるので、火災によりスプリンクラーヘッド１が作動して散水がなされると、アラーム弁３は流水を検知する。アラーム弁３は、分岐送水管９からスプリンクラーヘッド１方向への流水により作動する圧力スイッチ機能を有し、作動により回路を閉じるので、配線接続された警報装置を作動させ、前記給水ポンプ５を作動させてスプリンクラーヘッド１から所定圧力で継続した散水がなされるようになる。また、アラーム弁３の作動は、配線接続により管理室等に報知されるので、消防署等への報知を速やかに実施することができる。
【００２０】
また、一般人用消火栓設備７は、１２階以上において、全階層の各階における共通通路に配設されており、１階から１１階においては主送水管８に、１２階以上においては分岐送水管９にそれぞれ接続されている。すなわち、本実施形態の場合、スプリンクラー設備のヘッド１ならびに一般人用消火栓設備７へ送水する消火水槽６、給水ポンプ５からなる給水装置４、主送水管８等を共有して使用することにより、スプリンクラー設備と一般人用消火栓設備の配管を個別に設置する従来の構造に比較して、配管スペースの削減と配管、給水装置の費用低減を図ることができる。
【００２１】
上記配管構造において、１１階から３０階に至るまで配管された分岐送水管９内の水圧は低い階層ほど高くなるので、各階層のスプリンクラーヘッド１に適正な水圧（例えば０．６ＭＰａ）が加えられるようにするために、分岐送水管９からスプリンクラーヘッド１に一次側圧力に対し二次側圧力を自動的に所定範囲の圧力に減圧する圧力調整弁１０が設けられており、ここでは前記アラーム弁３と圧力調整弁１０とを一体化した送水検知調整装置１１が配設されている。また、同じく一般人用消火栓設備７に適正な放水圧力（例えば０．４ＭＰａ）が得られるように、主送水管８もしくは分岐送水管９と一般人用消火栓設備７との間に一次側圧力に対し二次側圧力を自動的に所定範囲の圧力に減圧する自動減圧弁（圧力調整弁）７０が設けられている。従って、ある階層の住戸５１に火災が発生した場合、火災現場近くの一般人が一般人用消火栓設備７に接続された消火ホース７ｂを使用し、放水口７ａを開放して消火ホース先端の放水ノズル７ｃより放水して火元を消火する。
【００２２】
一般人用消火栓設備７は、図２に示すように、建物の壁面等に設置された筐体１３内に設けられ、消火ホース７ｂが接続された状態で先端に放水ノズル７ｃを取付け、巻取りリール等によって巻回して収納されている。使用時は、ガイドパック１５の中央部より消火ホース７ｂに接続された放水ノズル７ｃを取り出した後、放水口７ａの開閉弁１６を開くことにより、放水ノズル７ｃから前記自動減圧弁７０により所定値（１．０ＭＰａ以下）に減圧された消火用水を放水することができる。
【００２３】
図３は、スプリンクラー設備に用いる前記送水検知調整装置１１の構成を示すもので、この送水検知調整装置１１は一端側の一次側フランジ１７により分岐送水管９または分配送水管１２に配管接続され、他端側の二次側フランジ１８からスプリンクラーヘッド１に配管接続される。前記一次側フランジ１７は、前記圧力調整弁１０が接続され、圧力調整弁１０から仕切弁１９、逆止弁２０を通じて前記アラーム弁３に接続され、アラーム弁３は前記二次側フランジ１８に接続されている。アラーム弁３と二次側フランジ１８との間には、試験用配管２１が接続され、スプリンクラーヘッド１が作動した状態を擬似的に発生させて各部の動作が試験できるようにしている。なお、２２はアラーム弁３や試験用スイッチ等に配線接続すると共に、ポンプ５、住戸５１、管理室等に電気配線するための接続端子ボックスである。
【００２４】
前記圧力調整弁１０は周知の構造のものである。その１例は図４に示すように、弁口２３ａが形成された隔壁２３によって一次側圧力室２４と二次側圧力室２５とに区画したボディ２６の上部開口部分を調整部２７で閉じ、下部開口部をカバー部２８で閉じ、調整部２７を回転させることによりスプリング２９のバネ力を調整し、前記弁口２３ａの弁体３０による開度圧力が調整できるように構成されている。この圧力調整弁１０は、一次側圧力室２４につながる一次側配管口２４ａで一次側フランジ１７に接続され、二次側圧力室２５につながる二次側配管口２５ａが仕切弁１９に配管接続される（図３）。ピストン８１および弁体３０を一体に備えた弁軸８０が図４の上下方向に上下動自在に前記隔壁２３によって案内支持され、前記ピストン８１はスプリング２９によって下方に付勢されている。また前記ピストン８１には、二次側圧力室２５の圧力が背圧導入通路８２を介して図４の上方向に作用するように構成されている。
【００２５】
上記構成になる弁体３０は、ピストン８１を介して弁体３０に作用する二次側圧力室２５の背圧と、前記スプリング２９のピストン８１を介して弁体３０に作用する付勢力を加えた一次側圧力室２４の圧力とのバランスにより、弁口２３ａの開度を調整し、二次側圧力室２５の圧力をスプリンクラーヘッド１に送水する所望圧力に調整することができる。
【００２６】
なお、前記自動減圧弁（圧力調整弁）７０も、図４に示すものと同様に構成されている。
【００２７】
上記圧力調整弁１０は、アラーム弁３と一体にした送水検知調整装置１１として分岐送水管９等とスプリンクラーヘッド１との間に配設するのが望ましいが、分岐送水管９の水圧がスプリンクラーヘッド１の所定送水圧力を超える階層にだけ設けるようにしてもよい。
【００２８】
（第２の実施形態）
本実施形態は、前記第１の実施形態における高層共同住宅のスプリンクラー設備に対する送水用配管構造と同一の構造のもの（図５、説明は省略）において、スプリンクラー設備と消防隊用消火栓設備の送水管を共用したものである。消防隊用消火栓設備（具体的にはその放水口）３１は、３階以上の階層に設けられ、１０階までは一個、１１階以上は二個の消防隊専用の消火ホースの接続口および開閉弁が設けられている。そして、消防隊用消火栓設備３１は、主送水管８ならびに分岐送水管９と接続し、一方、１階外壁等に設けられ、消防車等から供給される消火水を高層住宅に送水する消防隊用送水口３５は、連結送水管設備３６を介して主送水管８に接続してスプリンクラー設備のための主送水管８ならびに分岐送水管９を消防隊用消火栓設備に必要とする配管に共用し、配管費用と配管スペースの削減を図っている。なお、上記連結送水管設備３６は、例えば逆止弁３６ａならびに止水弁３６ｂを一体に備えたユニット設備である。また、主送水管８と消防隊用送水口３５との接続点と給水ポンプ５との間にも、逆止弁３７ａと止水弁３７ｂが設けられている。前記逆止弁３６ａ、３７ａによって、消防隊用送水口３５からの供給水が前記給水ポンプ５に流出したり、前記給水ポンプ５からの供給水が消防隊用送水口３５側に流出したりすることを阻止することができる。
【００２９】
上記構成において、ある階層のある住戸５１に火災が発生した場合、第１の実施形態において説明した通り、熱を感知してスプリンクラー設備が作動し、給水装置４により送水が行われてスプリンクラーヘッド１から放水がなされ、初期消火が行われる。この時、消防車等の到着により、消防隊用送水口３５から高圧の消火水が送水された場合、主送水管８、分岐送水管９を共用しているスプリンクラー設備への給水圧力が高くなるが、前記送水検知調整装置１１の圧力調整弁１０により、スプリンクラーヘッド１には圧力変動がなく、適正水圧が保たれ、正常な散水が維持される。
【００３０】
（第３の実施形態）
本実施形態は、給水装置４からスプリンクラーヘッド１への送水配管構造が高層住宅におけるすべての階を貫いた１本の主送水管４１から各階層のスプリンクラー設備に給水する階層別に複数の分岐送水管４０が設けられたタイプの送水用配管構造のものにおいて、スプリンクラー設備と一般人用消火栓設備の送水管、消火水槽、給水ポンプを共用したものである。
【００３１】
図６は、高層共同住宅６０における閉鎖型湿式スプリンクラー設備の給水配管構造を示すものである。この高層共同住宅６０の階層が、図示するように３０階とし、設置が必要なスプリンクラーヘッド１が１１階から３０階の各住戸６１に配設されている。そして、各住戸６１のスプリンクラーヘッド１は、アラーム弁３を介して階層別に水平に設けられた分岐送水管４０に接続している。分岐送水管４０は、スプリンクラーヘッド１に近接する各階層の各住戸６１の天井部分のスペース６２を水平に貫通するように配管されており、その一端は、高層共同住宅６０の側部に形成された配管スペース６３を各階層にわたって垂直に配設された主送水管４１に接続している。主送水管４１は、下端が給水ポンプ５ならびに消火槽６からなる給水装置４に接続している。主送水管４１と分岐送水管４０の接続点近傍、すなわち、分岐送水管４０における主送水管４１に最も近いスプリンクラーヘッド１の接続点と上記主送水管４１および分岐送水管４０との接続点の間に圧力調整弁１０が設けられている。これにより、本実施形態では、スプリンクラーヘッド１の放水圧力は、階層毎に調整されることになり、各住戸６１別に圧力調整弁１０を設ける必要はない。同一階層内でのスプリンクラーヘッド1の放水圧力は、個々に多少の差は出るが、無視できる程度に抑えられる。一般人用消火栓設備７は、各階層毎に設けられており、主送水管４１に直接、または接続管９１を介して接続してスプリンクラー設備の給水装置４、主送水管４１等を共用している。そして、主送水管４１と一般人用消火栓設備７との間に自動減圧弁（圧力調整弁）７０が設けられている。
【００３２】
（第４の実施形態）
第３の実施形態においては、主送水管４１と分岐送水管４０の接続点近傍に圧力調整弁１０を設けているが、この圧力調整弁１０を省略し、その代わりに図７に示すように、分岐送水管４０の各住居に接続される箇所に、図１に示す場合と同様に圧力調整弁１０（図１の場合と同様、送水検知調整装置１１に圧力調整弁１０を組み込むと好適である。）を配設している。
【００３３】
（第５の実施形態）
本実施形態は、前記第３の実施形態における高層共同住宅のスプリンクラー設備に対する送水用配管構造と同一の構造のもの（図８、説明は省略）において、スプリンクラー設備と消防隊用消火栓設備の送水管を共用したものである。消防隊用消火栓設備３１は、３階以上の階層に設けられ、１０階までは一個、１１階以上は二個の消防隊専用の消火ホースの接続口および開閉弁が設けられている。そして、消防隊用消火栓設備３１は、垂直に配設された主送水管４１に、直接、または接続管９０を介して接続し、一方、１階外壁等に設けられ、消防車等と連結して送水する消防隊用送水口３５は、連結送水管設備３６（逆止弁３６ａ、止水弁３６ｂ）を介して、上記主送水管４１に接続している。３７ａ、３７ｂは、給水ポンプ５と主送水管41の間に設けた逆止弁ならびに止水弁である。この構成により、スプリンクラー設備のための主送水管４１を消防隊用消火栓設備に必要な配管に共用し、配管費用と配管スペースの削減を図っている。
【００３４】
（第６の実施形態）
第５の実施形態においても、第３の実施形態と同様、主送水管４１と分岐送水管４０の接続点近傍に圧力調整弁１０を設けているが、この圧力調整弁１０を省略し、その代わりに図９に示すように、分岐送水管４０の各住居に接続される箇所に、図５に示す場合と同様に圧力調整弁１０（図５の場合と同様、送水検知調整装置１１に圧力調整弁１０を組み込むと好適である。）を配設している。
【００３５】
なお、本発明における実施形態として、高層住宅におけるスプリンクラー設備の配管構造において、一般人用消火栓設備または消防隊用消火栓設備を共用する例を示したが、上記それぞれの配管構造において、一般人用消火栓設備ならびに消防隊用消火栓設備の配管をスプリンクラー設備の配管と共用、すなわち３設備の配管を共用するようにしてもよいことは言うまでもない。
【図面の簡単な説明】
【００３６】
【図１】本発明の第１の実施形態における高層住宅用スプリンクラー装置の送水配管説明図。
【図２】一般人用消火栓設備の構成を示す正面図。
【図３】送水検知調整装置の構成を示す（ａ）は正面図、（ｂ）は側面図。
【図４】圧力調整弁の構成を示す断面図。
【図５】本発明の第２の実施形態における高層住宅用スプリンクラー装置の送水配管説明図。
【図６】本発明の第３の実施形態における高層住宅用スプリンクラー装置の送水配管説明図。
【図７】本発明の第４の実施形態における高層住宅用スプリンクラー装置の送水配管説明図。
【図８】本発明の第５の実施形態における高層住宅用スプリンクラー装置の送水配管説明図。
【図９】本発明の第６の実施形態における高層住宅用スプリンクラー装置の送水配管説明図。
【符号の説明】
【００３７】
１      スプリンクラーヘッド
３      アラーム弁
４      給水装置
５      給水ポンプ
７      一般人用消火栓設備
８      主送水管
９      分岐送水管
１０    圧力調整弁
１１    送水検知調整装置
３１    消防隊用消火栓設備
３５    消防隊用送水口
４０    分岐送水管
４１    主送水管
５０、６０    高層住宅
５１、６１    住戸
５２、６２    配管スペース
７０  圧力調整弁（自動減圧弁）
【図１】
2006141909.tif 000003
【図２】
2006141909.tif 000004
【図３】
2006141909.tif 000005
【図４】
2006141909.tif 000006
【図５】
2006141909.tif 000007
【図６】
2006141909.tif 000008
【図７】
2006141909.tif 000009
【図８】
2006141909.tif 000010
【図９】
2006141909.tif 000011